(57)【要約】【課題】小動物などの被装着体の外に出すアンテナとして邪魔にならない太さの線としたＩＣタグを被装着体の内部に埋め込むことを可能とするＩＣタグ挿入器及びＩＣタグ挿入方法を提供する。【解決手段】小動物６の内部にＩＣタグ１を挿入して装着させるＩＣタグ挿入器４であって、ＩＣタグのアンテナ２を入れた保護具３を押し出す機構を有し、保護具３を押し出すと、ＩＣタグの本体部１が小動物６の内部に挿入される。ＩＣタグの本体部１とアンテナ２を入れた保護具６を取付ける針部３を有し、針部３は、押し出し時に、ＩＣタグの本体部１及び保護具３を案内する。【選択図】図１ｂ
2008161119.tif 000002
【特許請求の範囲】
【請求項１】
小動物などの被装着体の内部にＩＣタグを挿入して装着させるＩＣタグ挿入器であって、
前記ＩＣタグのアンテナを入れた保護具を押し出す機構を有しており、前記保護具を押し出すと、前記ＩＣタグの本体部が前記被装着体の内部に挿入されることを特徴とするＩＣタグ挿入器。
【請求項２】
請求項１記載のＩＣタグ挿入器において、
前記ＩＣタグの本体部及びアンテナを入れた保護具を取付ける針部を有し、該針部は、押し出し時に、前記ＩＣタグの本体部及び前記保護具を案内することを特徴とするＩＣタグ挿入器。
【請求項３】
小動物などの被装着体の内部にＩＣタグを挿入して装着させる方法であって、
前記ＩＣタグのアンテナを保護具に入れることと、前記ＩＣタグのアンテナを入れた保護具を押し出し、前記ＩＣタグの本体部を前記被装着体の内部に挿入させることとを含むことを特徴とするＩＣタグ挿入方法。
【発明の詳細な説明】
【技術分野】
【０００１】
本発明は、ＩＣタグ挿入器及びＩＣタグ挿入方法に関し、特に小動物などの被装着体にＩＣタグを取付ける技術に関する。
【背景技術】
【０００２】
最近、ＩＣ（集積回路）タグを使用して物品の情報を管理することが行われている。管理の対象となる物品にＲＦＩＤ（Ｒａｄｉｏ  ｆｒｅｑｕｅｎｃｙ  ｉｄｅｎｔｉｆｉｃａｔｉｏｎ）タグなどのＩＣタグを取り付け、そして、ＩＣタグが記憶する情報をタグリーダで読取ることにより、対象物品の状態情報や移動情報などを収集することが行われている。
【０００３】
実験用小動物にＩＣタグを装着し、ＩＣタグからの信号をタグリーダで受信し解析することにより、小動物の状態を観察することが提案されている（特許文献１参照）。小動物に取付けるＩＣタグとして、３．７×１１．５ｍｍ、厚み０．８ｍｍ程度の大きさのものを使用し、そして、ＩＣタグに取付けたアンテナコイルとしてＩＣタグと同程度の大きさのものとしているが、このＩＣタグをマウスに埋め込むと、マウスにストレスを与えることとなり、マウスの自然な行動を観察することができなかった。
【０００４】
ＩＣタグをもっと小型とし、注射器タイプのＩＣタグ挿入器の針部分に取付け、押し出してマウスに注入する方式が提案されているが、ＩＣタグのアンテナはタグリーダとの情報交換を行うため、アンテナをマウスの体外に出す必要があった。そのため、アンテナとして太い線を使用すると、マウスの活動時に、体外に出たアンテナが付近の壁などに当たって折れたり、マウスにストレスなどを与えることがあった。
【特許文献１】特開２００２−６５１０９号公報
【発明の開示】
【発明が解決しようとする課題】
【０００５】
本発明は、従来の問題を解決するものであり、マウスなどの小動物の体外に出るアンテナとして邪魔にならない太さの線としたＩＣタグを小動物の内部に埋め込むことを可能とするＩＣタグ挿入器及びＩＣタグ挿入方法を提供することを目的とする。
【課題を解決するための手段】
【０００６】
本発明は、小動物などの被装着体の内部にＩＣタグを挿入して装着させるＩＣタグ挿入器であって、前記ＩＣタグのアンテナを入れた保護具を押し出す機構を有しており、前記保護具を押し出すと、前記ＩＣタグの本体部が前記被装着体の内部に挿入されるＩＣタグ挿入器である。
【０００７】
また、本発明は、前記ＩＣタグの本体部及びアンテナを入れた保護具を取付ける針部を有し、該針部は、押し出し時に、前記ＩＣタグの本体部及び前記保護具を案内するＩＣタグ挿入器である。
【０００８】
そして、本発明は、小動物などの被装着体の内部にＩＣタグを挿入して装着させる方法であって、前記ＩＣタグのアンテナを保護具に入れることと、前記ＩＣタグのアンテナを入れた保護具を押し出し、前記ＩＣタグの本体部を前記被装着体の内部に挿入させることとを含むＩＣタグ挿入方法である。
【発明の効果】
【０００９】
本発明によれば、マウスなどの小動物の対外に出るアンテナとして邪魔にならない太さの線としたＩＣタグを小動物の内部に埋め込むことを可能とするＩＣタグ挿入器及びＩＣタグ挿入方法を提供することができる。
【発明を実施するための最良の形態】
【００１０】
本発明を実施するための最良の形態を説明する。
本発明のＩＣタグ挿入器及びＩＣタグ挿入方法の実施例について、図面を用いて説明する。
【００１１】
実施例を説明する。本実施例において、実験用小動物としてマウスの例で説明する。本実施例で使用するＩＣタグは、図１（ａ）に示すように、ＩＣタグ本体部１とアンテナ２からなる。ＩＣタグ本体部は、ＩＣタグとして機能するＩＣ回路を内蔵しており、マウス６の体内に埋め込まれ、アンテナ２を介してタグリーダとの情報のやり取りを行う。ＩＣタグは、実験用小動物に与えるストレスを抑えつつタグリーダとの通信距離を確保できるものを使用する。アンテナ２は、マウス６の体外に出る部分であり、マウス６の活動に邪魔にならない太さの線からなり、ＩＣタグ本体部１に取付けられる。アンテナ２は、図１（ｂ）に示すように、マウス６に埋め込む際に使用するＩＣタグ注入器４の針部５に、保護具３の中に入れて取付けられる。保護具３は、アンテナ２を保護する。アンテナ２は、図２に示すように、マウス６の体外に飛び出した状態で、ＩＣタグ本体部１がマウス６の体内に埋められる。ＩＣタグ本体部１をマウス６に埋め込んだ後、保護具３は取り外される。保護具３は、最終的に取り外すことができれば、マウスに先端部分が挿入されてもかまわない。
【００１２】
本実施例のＩＣタグ挿入器４は、図１（ｂ）に示すように、針部５を有しており、針部５に、保護具３に入れたアンテナ２とＩＣタグ本体部１を内部に取り付ける。ＩＣタグ挿入器４の頭部分を押すと、押し出し機構により、ＩＣタグ本体部１は、針部５に案内され、マウス６の体内に挿入される。ＩＣタグ挿入器４を使用することにより、実験用小動物に与えるストレスが少なく、装着作業が容易にＩＣタグを挿入することができる。
【００１３】
ＩＣタグ本体部１を体内に埋め込んだマウスは、図１（ｃ）で示すように、箱７に入ったまま活動し、タグリーダ８により、活動時の状態情報が収集される。タグリーダ８で収集されたマウス６の状態情報は、図１（ｄ）で示すように、コンピュータ９にて解析される。ＩＣタグ読取作業が容易に行え、実験用小動物への電磁波の影響を極力抑えた読取装置により、体重などの測定作業時に固体ＩＤを同時に読み取って紐付け管理が可能となり、そして、測定値などの実験データの入力ミスの発生が少ないインタフェースや管理用アプリケーションを使用することができる。
【００１４】
挿入時に保護指示具を取付けたタグを注入器に取付け、注射器は、保護支持具を指示しながら押し出し、タグは小動物に挿入される。保護支持具は、小動物に挿入されず、タグが所定の位置に挿入された後に、取り外される。
【図面の簡単な説明】
【００１５】
【図１ａ】実施例におけるＩＣタグの説明図。
【図１ｂ】実施例におけるＩＣタグのマウスへの挿入の説明図。
【図１ｃ】実施例におけるマウスの活動時の状態情報の収集の説明図。
【図１ｄ】実施例におけるマウスから収集した情報の解析の説明図。
【図２】実施例におけるＩＣタグを埋め込んだマウスの説明図。
【符号の説明】
【００１６】
１  ＩＣタグ本体部
２  アンテナ
３  保護具
４  ＩＣタグ注射器
５  針部
６  マウス
７  箱
８  タグリーダ
９  コンピュータ
【図１ａ】
2008161119.tif 000003
【図１ｂ】
2008161119.tif 000004
【図１ｃ】
2008161119.tif 000005
【図１ｄ】
2008161119.tif 000006
【図２】
2008161119.tif 000007